(57)【要約】【課題】  個人の消費量程度（例：１０〜３０個）の鶏卵を、配送途上で破卵することなく配送でき、配送先で容易に処分できる包装手段を、リーズナブルな価格で提供する。【解決手段】  外周壁１１と底壁１３と蓋壁１５とから成る収容箱１に、位置決めパッド５を配設して成る包装箱。略直方体形状の鶏卵パック９を、該鶏卵パック９の上面側から収容箱１の蓋壁１５で均等に押圧するとともに、該押圧力によって、鶏卵パック９の下面側に配されている位置決めパッド５の載置板５１を鶏卵パック９の形状に沿うように沈み込ませる。それにより、鶏卵パック９の下面側が包み込むように固定される。【選択図】  図１
2019077460.tif 000002
【特許請求の範囲】
【請求項１】
収容箱の内部に配設され、略直方体形状を成す鶏卵パックを前記収容箱の内部にて位置決めする位置決めパッドであって、
前記収容箱は、筒状を成す外周壁と、前記外周壁の一端側に設けられた底壁と、前記外周壁の他端側に設けられた蓋壁と、を有し、
前記位置決めパッドは、前記鶏卵パックを中央に載置するための載置板と、該載置板の各辺の縁から下垂され下端にて前記底壁により支持される４枚の支持板と、を有し、
前記載置板は、平面視が前記鶏卵パックより大きな長方形状を成し、その短辺方向に沿う方向に配列された各仮想線上に断続的に形成された線状の切込みを有し、
前記切込みは、
１本おきの前記仮想線上に、一端が前記載置板の長辺の縁に達するとともに他端が平面視で前記中央に載置される鶏卵パックの縁付近に達するように、両長辺寄りにそれぞれ形成された第１切込み群と、
同一の前記仮想線上の両側の長辺寄りにそれぞれ形成されている各一対の切込みの各中間位置に、一端が前記鶏卵パックの一方の縁から中央寄りへ離隔するとともに他端が前記鶏卵パックの他方の縁から中央寄りへ離隔することで、前記鶏卵パックの下方に隠れるようにそれぞれ形成された中央切込み群と、
前記１本おきの仮想線に隣接する各仮想線上に、前記載置板の短辺側から見た側面視で、一端が前記第１切込み群の前記他端寄りと重複するとともに他端が前記中央切込み群の前記一端寄り又は前記他端寄りと重複するように、前記鶏卵パックの両縁寄りの付近にそれぞれ形成された第２切込み群と、
から成るパターンを成し、
前記蓋壁から押圧される前記鶏卵パックからの押圧力で前記第１切込み群及び第２切込み群の各領域が中央寄りへ下がるように傾斜するとともに前記中央切込み群の領域が沈み込むことで前記鶏卵パックを位置決めする、
ことを特徴とする位置決めパッド。
【請求項２】
請求項１に於いて、
前記仮想線は前記載置板の短辺方向と平行な方向に等間隔で配列されている、
ことを特徴とする位置決めパッド。
【請求項３】
請求項１又は請求項２に於いて、
前記載置板の短辺から最寄りの前記第１切込みの前記他端と、該他端から最寄りの前記載置板の短辺と長辺の交叉位置とを結ぶ仮想結線は、当該短辺及び長辺に対して略４５°で交叉する、
ことを特徴とする位置決めパッド。
【請求項４】
請求項１〜請求項３の何れかに於いて、
前記位置決めパッドは段ボール製であり、その段方向は前記仮想線に対して略４５°で交叉する、
ことを特徴とする位置決めパッド。
【請求項５】
請求項１〜請求項４の何れかの収容箱及び位置決めパッドを備えた鶏卵搬送用の包装箱。
【発明の詳細な説明】
【技術分野】
【０００１】
本発明は、最終消費者宅への鶏卵の宅配に適した包装箱に関する。詳しくは、配送途上に於いて鶏卵が破卵しないように収容箱内にて固定するための位置決めパッドと、該位置決めパッドを収容箱の内部に配設して成る包装箱に関する。
【背景技術】
【０００２】
食品スーパー等の小売店やレストラン等の外食産業へ鶏卵を配送する場合には、専用の容器に収容し且つ十分な量の緩衝材を用いることで、配送途上での破卵を防止もしくは抑制している。専用の容器は繰り返し使用される場合もあり、その場合は回収の手間を要する。また、緩衝材の量も多いため、費用もそれなりに要する。しかし、大量の配送であるため、卵１個当たりの梱包や容器回収等のコストは、相対的に小さくなる。
【０００３】
近年、通販の発達に伴い、所望の鶏卵（ブランド卵等）を、個人が、必要量だけ、産地から直接購入したいという要望がある。しかし、個人の消費量程度（少量）の鶏卵を、破卵なく、リーズナブルな価格で配送し得る手段は提供されていない。
【０００４】
特開２０１５−１１３１２７号公報（特許文献１）には、段ボール製の外箱内の底部上に収容した物品を、段ボール製の位置決めパッドで押さえて固定する技術が開示されている。この位置決めパッドは、柔軟性を備えた方形の被覆板と、該被覆板の周縁から立設された支持板等から成る。被覆板で物品を底部に押圧しつつ、その週縁から立設されている支持板の先端（上端）を外箱の蓋に当接させることで、当該の物品を固定している。この被覆板には多数の切込みが形成されており、それにより柔軟性が実現されている。
【先行技術文献】
【特許文献】
【０００５】
【特許文献１】特開２０１５−１１３１２７号公報
【発明の概要】
【発明が解決しようとする課題】
【０００６】
本発明は、個人の消費量程度（少量）の鶏卵を、配送途上で破卵することなく配送可能とする手段を、リーズナブルな価格で提供することを目的とする。例えば、１０〜３０個程度の鶏卵を破卵することなく配送でき、且つ、配送先（特別なゴミ処理設備の無い個人宅）にて容易に処分（ゴミ出し）できるような包装手段を提供することを目的とする。
【課題を解決するための手段】
【０００７】
本発明の構成を、下記［１］〜［５］に記す。なお、この項（［課題を解決するための手段］）と次項（［発明の効果］）に於いて、符号は理解を容易にするために付したものであり、本発明を符号の構成に限定する趣旨ではない。
【０００８】
［１］構成１
収容箱１の内部に配設され、略直方体形状を成す鶏卵パック９を前記収容箱１の内部にて位置決めする位置決めパッド５であって、
前記収容箱１は、筒状を成す外周壁１１と、前記外周壁１１の一端側に設けられた底壁１３と、前記外周壁１１の他端側に設けられた蓋壁１５と、を有し、
前記位置決めパッド５は、前記鶏卵パック９を中央に載置するための載置板５１と、該載置板５１の各辺５１Ｓ，５１Ｌ，５１Ｓ，５１Ｌの縁から下垂され下端にて前記底壁１３により支持される４枚の支持板５５，５６，５７，５８と、を有し、
前記載置板５１は、平面視が前記鶏卵パック９より大きな長方形状を成し、その短辺５１Ｓ方向に沿う方向に配列された各仮想線Ｆ１，Ｆ２上に断続的に形成された線状の切込み５３１，５３３，５３５を有し、
前記切込みは、
１本おきの前記仮想線Ｆ１上に、一端が前記載置板５１の長辺５１Ｌの縁に達するとともに他端が平面視で前記中央に載置される鶏卵パック９の縁９ｅ付近に達するように、両長辺５１Ｌ，５１Ｌ寄りにそれぞれ形成された第１切込み５３１群と、
同一の前記仮想線Ｆ１上の両側の長辺５１Ｌ，５１Ｌ寄りにそれぞれ形成されている各一対の切込み５３１，５３１の各中間位置に、一端が前記鶏卵パック９の一方の縁９ｅから中央寄りへ離隔するとともに他端が前記鶏卵パック９の他方の縁９ｅから中央寄りへ離隔することで、前記鶏卵パック９の下方に隠れるようにそれぞれ形成された中央切込み５３５群と、
前記１本おきの仮想線Ｆ１に隣接する各仮想線Ｆ２上に、前記載置板５１の短辺５１Ｓ側から見た側面視で、一端が前記第１切込み５３１群の前記他端寄りと重複するとともに他端が前記中央切込み５３５群の前記一端寄り又は前記他端寄りと重複するように、前記鶏卵パック９の両縁９ｅ，９ｅ寄りの付近にそれぞれ形成された第２切込み５３３群と、
から成るパターンを成し、
前記蓋壁１５から押圧される前記鶏卵パック９からの押圧力で前記第１切込み５３１群及び第２切込み５３３群の各領域が中央寄りへ下がるように傾斜するとともに前記中央切込み５３５群の領域が沈み込むことで前記鶏卵パック９を位置決めする、
ことを特徴とする位置決めパッド５。
ようするに、本発明は、外周壁１１と底壁１３と蓋壁１５とから成る収容箱１に、位置決めパッド５を配設して成る包装箱であり、略直方体形状の鶏卵パック９を、該鶏卵パック９の上面側から収容箱１の蓋壁１５で均等に押圧するとともに、該押圧力によって、鶏卵パック９の下面側に配されている載置板５１を鶏卵パック９の形状に沿うように沈み込ませ、それにより、鶏卵パック９の下面側を包み込むように固定するものである。
【０００９】
［２］構成２
構成１に於いて、
前記仮想線Ｆ１，Ｆ２は前記載置板５１の短辺５１Ｓ方向と平行な方向に等間隔で配列されている、
ことを特徴とする位置決めパッド５。
短辺５１Ｓ方向と平行、及び／又は、仮想線Ｆ１，Ｆ２が相互に等間隔であると、切込み５３１，５３３，５３５が設けられている領域全体での傾斜若しくは沈み込みが均一となり、鶏卵パックを更に良好に固定することができる。
［３］構成３
構成１又は構成２に於いて、
前記載置板５１の短辺５１Ｓから最寄りの前記第１切込み５３１の前記他端と、該他端から最寄りの前記載置板５１の短辺５１Ｓと長辺５１Ｌの交叉位置とを結ぶ仮想結線Ｆ５は、当該短辺５１Ｓ及び長辺５１Ｌに対して略４５°で交叉する、
ことを特徴とする位置決めパッド。
この構成では、切込み５３１，５３３，５３５が設けられている領域内の中で傾斜が大きくなる領域Ｒのコーナー部が、載置板５１の短辺５１Ｓと長辺５１Ｌから、略等距離の位置となる。このため、該コーナー部付近に於いても傾斜若しくは沈み込みが略均一となり、鶏卵パックを更に良好に固定することができる。
［４］構成４
構成１〜構成３の何れかに於いて、
前記位置決めパッド５は段ボール製であり、その段方向は前記仮想線Ｆ１，Ｆ２に対して略４５°で交叉する、
ことを特徴とする位置決めパッド５。
段方向が、載置板５１の短辺５１Ｓ側から見た場合と、長辺５１Ｌ側から見た場合とで同等となるため、切込み５３１，５３３，５３５が設けられている領域全体での傾斜若しくは沈み込みが均一となり、鶏卵パックを更に良好に固定することができる。また、支持板５５〜５８による支持も良好となる。
［５］構成５
構成１〜構成４の何れかの収容箱１及び位置決めパッド５を備えた鶏卵搬送用の包装箱。
【発明の効果】
【００１０】
構成１は、収容箱１の内部に配設され、略直方体形状を成す鶏卵パック９を前記収容箱１の内部にて位置決めする位置決めパッド５であって、前記収容箱１は筒状を成す外周壁１１と前記外周壁１１の一端側に設けられた底壁１３と前記外周壁１１の他端側に設けられた蓋壁１５とを有し、前記位置決めパッド５は前記鶏卵パック９を中央に載置するための載置板５１と該載置板５１の各辺５１Ｓ，５１Ｌ，５１Ｓ，５１Ｌの縁から下垂され下端にて前記底壁１３により支持される４枚の支持板５５，５６，５７，５８とを有し、前記載置板５１は平面視が前記鶏卵パック９より大きな長方形状を成し、その短辺５１Ｓ方向に沿う方向に配列された各仮想線Ｆ１，Ｆ２上に断続的に形成された線状の切込み５３１，５３３，５３５を有し、前記切込みは、１本おきの前記仮想線Ｆ１上に一端が前記載置板５１の長辺５１Ｌの縁に達するとともに他端が平面視で前記中央に載置される鶏卵パック９の縁９ｅ付近に達するように両長辺５１Ｌ，５１Ｌ寄りにそれぞれ形成された第１切込み５３１群と、同一の前記仮想線Ｆ１上の両側の長辺５１Ｌ，５１Ｌ寄りに形成されている各一対の切込み５３１，５３１の各中間位置に一端が前記鶏卵パック９の一方の縁９ｅから中央寄りへ離隔するとともに他端が前記鶏卵パック９の他方の縁９ｅから中央寄りへ離隔することで前記鶏卵パック９の下方に隠れるようにそれぞれ形成された中央切込み５３５群と、前記１本おきの仮想線Ｆ１に隣接する各仮想線Ｆ２上に前記載置板５１の短辺５１Ｓ側から見た側面視で一端が前記第１切込み５３１群の前記他端寄りと重複するとともに他端が前記中央切込み５３５群の前記一端寄り又は前記他端寄りと重複するように前記鶏卵パック９の両縁９ｅ，９ｅ寄りの付近にそれぞれ形成された第２切込み５３３群とから成るパターンを成し、前記蓋壁１５から押圧される前記鶏卵パック９からの押圧力で前記第１切込み５３１群及び第２切込み５３３群の各領域が中央寄りへ下がるように傾斜するとともに前記中央切込み５３５群の領域が沈み込むことで前記鶏卵パック９を位置決めすることを特徴とする位置決めパッド５であるため、鶏卵パック９を動かないように固定することができる。
即ち、外周壁１１と底壁１３と蓋壁１５とから成る収容箱１に、位置決めパッド５を配設して成るため、略直方体形状の鶏卵パック９が、該鶏卵パック９の上面側から収容箱１の蓋壁１５で均等に押圧されるとともに、該押圧力によって、鶏卵パック９の下面側に配されている載置板５１が鶏卵パック９の形状に沿うように沈み込み、それにより、鶏卵パック９の下面側が包み込むように固定される。このため、鶏卵パック９を動かないように固定できる。
【図面の簡単な説明】
【００１１】
【図１】鶏卵パック９を実施の形態の位置決めパッド５に載置して収容箱１に収容する様子を模式的に示す斜視図。
【図２】実施の形態の位置決めパッド５を展開した状態で示す模式図。
【図３】（ａ）と（ｂ）は鶏卵パック９を示す斜視図であり、（ａ）は鶏卵パック９の蓋を閉じた状態を示し、（ｂ）は開いた状態を示す。（ｃ）は実施の形態の収容箱１内にて位置決めパッド５を用いて鶏卵パック９を位置決めした様子を示す断面模式図であり切断位置は（ｄ）内Ｃ−Ｃ線である。（ｄ）は（ｃ）内矢印Ｄ方向から蓋壁１５を透視して見た模式図である。
【図４】図１〜図２とは異なる実施の形態の位置決めパッド５ａを示し、（ａ）は模式的斜視図、（ｂ）は模式的展開図である。
【図５】（ａ）は図１〜図２、図４とは異なる実施の形態の位置決めパッド５ｂを示す模式的展開図であり、（ｂ）は図１〜図２、図４、図５（ａ）とは異なる実施の形態の位置決めパッド５ｃを示す模式的展開図である。
【発明を実施するための形態】
【００１２】
図面を参照して、本発明の実施の形態を説明する。
図１及び図３（ｃ）（ｄ）に示すように、本実施の形態では、段ボール製の収容箱１内に、２個の段ボール製の位置決めパッド５が、並べて配設される。この位置決めパッド５は、平面視が長方形を成す載置板５１と、該載置板５１の周囲の各辺（短辺５１Ｓ，長辺５１Ｌ）の縁から下垂された支持板５５〜５８とから成る。
【００１３】
支持板５５〜５８は、常時、外方へ開く（展開状態へ拡がる）弾力を有するように形成されており、各支持板５５〜５８は、それぞれ対向する面に密接する。例えば、載置板５１の短辺５１Ｓ，５１Ｓから下垂されている支持板５５，５７、及び、長辺５１Ｌ，５１Ｌの一方から下垂されている支持板５６（又は５８）は、収容箱１の内壁面を付勢して該内壁面に密接する。また、長辺５１Ｌ，５１Ｌの他方から下垂されている支持板５８（又は５６）は、横に並べられている別の位置決めパッド５の支持板５６（又は５８）を付勢して該支持板５６（又は５８）に密接する。このように、２個の位置決めパッド５，５の各支持板５５〜５８，５５〜５８が、それぞれ対向する内壁面（収容箱１の内壁面）や支持板に密接されるため、２個の位置決めパッド５は収容箱１内にて固定される。なお、支持板５５〜５８を常時外方へ開く（展開状態へ拡げる）弾力は、折り曲げ線（載置板５１の縁；５１Ｌ，５１Ｓ，５１Ｌ，５１Ｓ）に於いて谷折りとなる側に罫を入れてその側の肉厚を圧縮する等の公知の手法で付与しておくことができる。
【００１４】
また、位置決めパッド５の長辺５１Ｌ，５１Ｌから下垂されている各支持板５６，５８の先端には、突起部５６０，５８０が形成されており、この突起部５６０，５８０に対応する収容箱１側の各部位（底壁１３の部位）には、係止孔１３０等の係止受部が設けられている。このため、底壁１３側の係止孔１３０等の係止受部に位置決めパッド５側の突起部５６０，５８０が係止され、結果、位置決めパッド５は、さらに確実に固定されることとなる。なお、係止受部のうち、底壁１３の中央ではなく縁に設けられる係止受部については、図示を省略する。
【００１５】
位置決めパッド５の載置板５１には、該載置板５１の短辺５１Ｓの方向と平行に、多数の切込み５３１，５３３，５３５が、断続的に形成されている。即ち、載置板５１の短辺５１Ｓの方向と平行な配列を成す各仮想線Ｆ１上に切込み５３１，５３５が断続的に形成されているとともに、同様に平行な配列を成す各仮想線Ｆ２上に切込み５３３が断続的に形成されている。ここで、仮想線Ｆ１と仮想線Ｆ２とは交互に配列されており、各仮想線Ｆ１，Ｆ２の間隔（仮想線Ｆ１，Ｆ２，Ｆ１，Ｆ２，，，の間隔）は、等間隔を成す。このため、後述の沈み込みを良好に行うことができる。
また、各仮想線Ｆ１，Ｆ２の方向は、本実施の形態では、段方向と略４５°の角度を成す方向である。換言すれば、段方向が、載置板５１の短辺５１Ｓ側から見た場合と長辺５１Ｌ側から見た場合とで同等となる。このため、切込み５３１，５３３，５３５が設けられている各領域での傾斜や沈み込みが更に均一となり、鶏卵パックを更に良好に固定することができる。また、支持板５６〜５８による支持強度も更に良好となる。
【００１６】
各仮想線Ｆ１上の切込み５３１（以下「第１切込み５３１」）は、一端が載置板５１の長辺５１Ｌの縁に達するように、且つ、他端が鶏卵パック９の縁９ｅ付近に達するようにして、両側の長辺５１Ｌ，５１Ｌ寄りの部位に、それぞれ形成されている。ここで、鶏卵パック９は、図１及び図３（ａ）（ｂ）に示すように、蓋体の上面が平坦で、１０個の鶏卵収容凹部を備えた、パルプモールド製の公知のパックである。この鶏卵パック９が、載置板５１の中央に載置される。つまり、上記「他端が鶏卵パック９の縁９ｅ付近に達するように」とは、鶏卵パック９が、平面視で載置板５１の略中央位置に載置された状態を前提としている。換言すれば、載置板５１のサイズは、本実施の形態では上記１０個入り鶏卵パック９に基づいており、平面視での鶏卵パック９のサイズより一回り大きなサイズとされている。具体的には、鶏卵パックの縁９ｅ−載置板の短辺５１Ｓ間の距離、及び、鶏卵パックの縁９ｅ−載置板の長辺５１Ｌ間の距離は、１〜３［ｃｍ］の範囲、望ましくは１．５〜２・５［ｃｍ］の範囲とされている。
なお、上記で「鶏卵パック９の縁９ｅ」とは平面視での縁である。即ち、鶏卵パック９の最大幅の部位での縁である。鶏卵パック９は、図１や図３（ａ）に示すように、下部へ向けて小さくなっており、最下部では、図２に枠線９ｅｕで示すように、第１切込み５３１の内側先端よりも内側となる。ここで、枠線９ｅｕは、非押圧時に於いて鶏卵パック９が載置板５１に接する部位の外周を結ぶように仮想した線である。
【００１７】
各仮想線Ｆ１上の切込み５３５（以下「中央切込み５３５」）は、同一仮想線Ｆ１上の２本の第１切込み５３１−第１切込み５３１間の中央に形成されており、その両端は、鶏卵パック９の縁９ｅから鶏卵パック９の下方（第１切込み５３１−第１切込み５３１間の中央方向）へ入り込んだ位置（縁９ｅから中央側へ離隔した位置）に在る。換言すれば、各中央切込み５３５は、鶏卵パック９が載置板５１に載置されたとき、該鶏卵パック９の下方に隠れる部位に形成されている。
【００１８】
一方、各仮想線Ｆ２上の切込み５３３（以下「第２切込み５３３」）は、その一端が前記第１切込み５３１の前記他端（鶏卵パック９の縁９ｅ付近に達する側の端部）付近とオーバーラップ（載置板５１の短辺５１Ｓ側から見た側面視で重複）し、他端が前記中央切込み５３５の端部（当該の第２切込み５３３に近い側の端部＝前記中央切込み５３５の前記一端又は前記他端）付近とオーバーラップ（載置板５１の短辺５１Ｓ側から見た側面視で重複）する部位に形成されている。
【００１９】
かかる構成の２個の位置決めパッド５が、収容箱１内に配設・固定された後、各位置決めパッド５の載置板５１上の中央に、それぞれ鶏卵パック９が載置され、その後、収容箱１の４枚の蓋壁１５が閉じられる（図１内矢印参照）。ここで、
「位置決めパッド５の高さ＋鶏卵パック９の高さ＞収容箱１の内部の高さ」
となる関係に設計されているため、蓋壁１５は、軽く閉じられた状態では、鶏卵パック９の上面により押されて、若干浮き上がる。
【００２０】
このため、蓋壁１５を閉じた後、鶏卵パック９側からの力（蓋壁１５を浮き上がらせようとする力）に抗して蓋壁１５を押圧しつつ４枚の各蓋壁１５を相互に貼り合わせる等すると、鶏卵パック９は、その平坦な上面側から恒常的に押圧されることとなる。なお、図３（ｃ）では、蓋壁１５の下面と鶏卵パック９の上面とに若干の隙間があるように見えるが、これは両者を識別可能に描いたためであり、実際は密接されている。
この鶏卵パック９は、パルプモールド製であるため剛性が大きく、十分な耐荷重を有する。このため、蓋壁１５から鶏卵パック９に加わる押圧力は、鶏卵パック９を介して、位置決めパッド５の載置板５１に加わる。
【００２１】
載置板５１には、前述のように、多数の切込み５３１，５３３，５３５が形成されている。このため、鶏卵パック９側からの押圧力が加わると、載置板５１は、多数の切込み５３１，５３３，５３５に起因する柔軟性によって、下方へ沈み込む。
【００２２】
載置板５１に形成されている切込みは、前述のように、両側（図２基準での両側：以下同様）の第１切込み５３１群、同じく両側の第２切込み５３３群、及び、中央の中央切込み群５３５から成る。上記の沈み込み時、第１切込み群５３１群の領域は、中央へ向けて下がるように若干傾斜する。また、第２切込み群５３３の領域は、中央へ向けて下がるように第１切込み群５３１の領域よりも大きく傾斜する。また、図２での上端と下端にそれぞれ位置する中央切込み５３５，５３５の付近も大きく傾斜する。これらの大きく傾斜する領域を、図３（ｄ）に「Ｒ」で示す。
一方、中央切込み群５３５（上記上端と下端の中央切込み５３５，５３５を除く）の領域は、沈み込みによって高さは低下するが、第１切込み群５３１及び第２切込み群の変形によって載置板５１に加わる力を軽減するように、略水平となる。
【００２３】
このように載置板５１が沈み込む結果、鶏卵パック９は、蓋体の上面側からは押圧力を受けるとともに、載置板５１からは下部を包み込むような力を受ける。その結果、鶏卵パック９は、収容箱１と位置決めパッド５から成る包装箱内に於いてしっかりと固定されるため、宅配便等で配送した場合でも、破卵は有効に防止される。
【００２４】
鶏卵を１０個づつ収容した鶏卵パック９を、本実施の形態の包装箱（収容箱１＋位置決めパッド５）に収容して、以下の試験を行った。
（１）落下試験
１［ｍ］の高さから、包装箱を水平に保った状態で、コンクリート床面に落下させる試験を、２０回、繰り返して行ったところ、破卵は全く生じなかった。
（２）配送試験
愛知県安城市の出願人の本社から、青森県、長野県、東京都の各支店に宛てて、宅配業者の宅配便（クール便）にて、各１０個の包装箱を送ったところ、何れの支店宛でも、破卵は、全く生じなかった。
【００２５】
上記実施の形態では、２個の位置決めパッド５を並べて１個の収容箱１に配設しているが、これに代えて、１個の位置決めパッド５や、３個以上の位置決めパッド５を、それぞれ対応するサイズの収容箱に配設する構成でもよい。
また、上記実施の形態では、位置決めパッドを段ボール製としているが、同様の切込みを形成することにより同様の沈み込みを実現できる素材であれば、段ボール以外の素材を用いてもよい。収容箱についても同様である。
また、上記実施の形態では鶏卵パック９として１０個入りを用いているが、１０個入りに限定されず、６個入り、８個入り、１２個入り等でも、同様に構成可能である。
【００２６】
また、上記実施の形態では、位置決めパッド５の切込み５３１，５３３，５３５は、載置板５１の短辺５１Ｓ方向と平行な方向に配列された仮想線Ｆ１，Ｆ２上に断続的に形成されているが、本願発明と同様の作用効果は、図３（ｄ）内に示す領域Ｒ（鶏卵パック９からの押圧力で大きく傾斜する領域）が、本願発明と同様に実現され得るように形成されていれば、奏することができる。
【００２７】
例えば、図４（ａ）（ｂ）に示すように、切込みのパターンが、第１切込み５３１ａ及び第２切込み５３３ａのように、載置板の中心方向に向かって傾斜するパターンでも、同様の効果を奏することができる。
【００２８】
また、図５（ａ）や（ｂ）に示すように、載置板の短辺に一端を接し、他端が載置板の中央方向へ延びるように切込み５３４ｂや５３４ｃを設けた構成でも、略同様の効果を奏することができる。
また、載置板の短辺に一端を接する切込み５３４ｂ，５３４ｃを設ける場合には、載置板の短辺付近で該短辺に略沿う方向に設けられている最寄りの切込み（図２で短辺５１Ｓ最寄りの切込み４３１，４３３，４３５に相当する切込み）を形成しないようにして、過度の傾斜や沈み込みを抑制するようにしてもよい。
【００２９】
以上のように、本願発明の実施の形態は、外周壁１１と底壁１３と蓋壁１５とから成る収容箱１に、位置決めパッド５を配設して成るものであり、収容箱１内では、略直方体形状の鶏卵パック９が、該鶏卵パック９の上面側から収容箱１の蓋壁１５によって均等に押圧されているとともに、該押圧力によって、鶏卵パック９の下面側に配されている載置板５１が鶏卵パック９の形状に沿うように沈み込み、それにより、鶏卵パック９の下面側を包み込むように確実に固定するものである。
【符号の説明】
【００３０】
１  収容箱
１１  外周壁
１３  底壁
１３０  係止受部
１５  蓋壁
５，５ａ，５ｂ，５ｃ  位置決めパッド
５１  載置板
５１Ｓ  載置板の短辺
５１Ｌ  載置板の長辺
５３１  （第１）切込み
５３３  （第２）切込み
５３５  （中央）切込み
５３４ｂ，５３４ｂｂ，５３４ｃ  切込み
５４  ミシン目
５５〜５８  支持板
５６０  支持板５６の突出部
５８０  支持板５８の突出部
９  鶏卵パック
９ｅ  鶏卵パックの縁
９ｅｕ  鶏卵パックの最下部の外周を結ぶ枠線
Ｆ１  仮想線
Ｆ２  仮想線
Ｆ５  仮想結線
Ｒ  大きく傾斜する領域
【図１】
2019077460.tif 000003
【図２】
2019077460.tif 000004
【図３】
2019077460.tif 000005
【図４】
2019077460.tif 000006
【図５】
2019077460.tif 000007